(57)【要約】      （修正有）【課題】設置場所に応じて、広告情報を出力する。【解決手段】ＣＰＵは、画像形成装置が所定時間使用されていない場合には、画像形成装置の設置情報及び広告情報取得先などの、情報配信サーバの記憶装置に記憶される所定の広告情報にアクセスするためのアクセス情報を取得し、設置場所情報を情報配信サーバに対して送信する。ＣＰＵは、情報配信サーバが記憶する複数の広告情報の中から、送信した設置場所情報に対応する広告情報を取得し、取得した広告情報をＵＩ装置を介して表示する。【選択図】図８
2009020560.tif 000002
【特許請求の範囲】
【請求項１】
広告情報を出力する広告情報出力手段と、この広告情報出力手段を操作する操作者に関連する業種を示す業種情報、及び前記広告情報出力手段の設置場所を示す設置場所情報の少なくともいずれかに基づいて、前記広告情報出力手段による広告情報の出力を制御する出力制御手段とを有する広告システム。
【請求項２】
前記広告情報出力手段は、画像及び音声の少なくともいずれかによって広告情報を出力し、前記出力制御手段は、前記広告情報出力手段が出力する画像の内容、音声の内容及び音量の少なくともいずれかを制御する請求項１記載の広告システム。
【請求項３】
所定の操作を受け付ける操作受付手段をさらに有し、前記出力制御手段は、前記操作受付手段が所定の操作を受け付けた後に経過した時間に応じて、前記広告情報出力手段による広告情報の出力を制御する請求項２記載の広告システム。
【請求項４】
前記操作受付手段は、該操作受付手段を操作する操作者を認証する操作を受け付け、前記出力制御手段は、前記操作受付手段が操作者を認証する操作を受け付けた後に経過した時間に応じて、前記広告情報出力手段による広告情報の出力を制御する請求項３記載の広告システム。
【請求項５】
前記操作受付手段は、該操作受付手段を操作する操作者による支払いの操作を受け付け、前記出力制御手段は、前記操作受付手段が操作者による支払いの操作を受け付けた後に経過した時間に応じて、前記広告情報出力手段による広告情報の出力を制御する請求項３記載の広告システム。
【請求項６】
前記出力制御手段は、前記広告情報出力手段の設置場所情報に応じて、前記広告情報出力手段が出力可能な広告情報を、該広告情報出力手段が羅列させて出力するように、前記広告情報出力手段による広告情報の出力を制御するとともに、前記広告情報出力手段が羅列させて出力した広告情報のいずれかを選択する操作を前記操作受付手段が受け付けた場合に、前記操作受付手段が受け付けた操作に応じて、前記広告情報出力手段による広告情報の出力を制御する請求項３記載の広告システム。
【請求項７】
前記操作受付手段は、該操作受付手段を操作する操作者を認証する操作を受け付け、前記出力制御手段は、前記操作受付手段が操作者を認証する操作を受け付けた時から操作者の認証が解除される時まで、又は操作者の認証が解除された後に所定時間経過するまで、前記広告情報出力手段が所定の広告情報を出力するよう制御する請求項３記載の広告システム。
【請求項８】
前記操作受付手段は、該操作受付手段を操作する操作者による支払いの操作を受け付け、前記出力制御手段は、前記操作受付手段が操作者による支払いの操作を受け付けた時から支払いの操作が終了するまで、又は操作者による支払いの操作が終了した後に所定時間経過するまで、前記広告情報出力手段が所定の広告情報を出力するよう制御する請求項３記載の広告システム。
【請求項９】
記録媒体に画像を形成する画像形成装置をさらに有し、前記広告情報出力手段は、前記画像形成装置に対する操作を受け付ける装置操作受付手段を兼ねる請求項１乃至８いずれか記載の広告システム。
【請求項１０】
操作を受け付けるとともに画像を表示するタッチパネルを具備し、記録媒体に画像を形成する画像形成装置をさらに有し、前記タッチパネルは、所定の操作を受け付けた場合に、広告情報を表示する請求項１乃至８いずれか記載の広告システム。
【請求項１１】
画像を表示する表示部と、この表示部を制御する制御部とを具備し、画像を形成する画像形成装置と、この画像形成装置との間で情報を送受信する情報処理装置とを有し、前記情報処理装置は、前記画像形成装置の設置場所に関する情報を該画像形成装置から受信した場合に、受信した情報に応じて所定の広告情報を前記画像形成装置に対して送信し、前記画像形成装置は、前記情報処理装置が送信した広告情報を、前記制御部の制御に応じて前記表示部に表示する広告システム。
【発明の詳細な説明】
【技術分野】
【０００１】
本発明は、広告システムに関するものである。
【背景技術】
【０００２】
特許文献１は、記録紙やトナーの消耗品が無くなった場合に、装置に関する広告情報を表示部に表示する画像形成装置を開示する。また、特許文献２は、使用者が画像形成装置を使用開始してから終了するまでの使用時間を予測し、使用時間に応じて広告画像を検索し、使用時間以内におさまるように編集した広告画像を表示する画像形成システムを開示する。特許文献３は、印刷装置に対する注目度が高い時間帯や、ディスプレイが有効に利用されていない時間帯に、広告情報を表示する印刷装置を開示する。
【０００３】
【特許文献１】特開２００１−２１７９７８号公報
【特許文献２】特開２００３−１５２９３７号公報
【特許文献３】特開２００４−１５５１２４号公報
【発明の開示】
【発明が解決しようとする課題】
【０００４】
本発明は、設置場所に応じて、広告情報を出力することができる広告システムを提供することを目的とする。
【課題を解決するための手段】
【０００５】
上記目的を達成するため、請求項１に係る本発明は、広告情報を出力する広告情報出力手段と、この広告情報出力手段を操作する操作者に関連する業種を示す業種情報、及び前記広告情報出力手段の設置場所を示す設置場所情報の少なくともいずれかに基づいて、前記広告情報出力手段による広告情報の出力を制御する出力制御手段とを有する広告システムである。
【０００６】
請求項２に係る本発明は、前記広告情報出力手段は、画像及び音声の少なくともいずれかによって広告情報を出力し、前記出力制御手段は、前記広告情報出力手段が出力する画像の内容、音声の内容及び音量の少なくともいずれかを制御する請求項１記載の広告システムである。
【０００７】
請求項３に係る本発明は、所定の操作を受け付ける操作受付手段をさらに有し、前記出力制御手段は、前記操作受付手段が所定の操作を受け付けた後に経過した時間に応じて、前記広告情報出力手段による広告情報の出力を制御する請求項２記載の広告システムである。
【０００８】
請求項４に係る本発明は、前記操作受付手段は、該操作受付手段を操作する操作者を認証する操作を受け付け、前記出力制御手段は、前記操作受付手段が操作者を認証する操作を受け付けた後に経過した時間に応じて、前記広告情報出力手段による広告情報の出力を制御する請求項３記載の広告システムである。
【０００９】
請求項５に係る本発明は、前記操作受付手段は、該操作受付手段を操作する操作者による支払いの操作を受け付け、前記出力制御手段は、前記操作受付手段が操作者による支払いの操作を受け付けた後に経過した時間に応じて、前記広告情報出力手段による広告情報の出力を制御する請求項３記載の広告システムである。
【００１０】
請求項６に係る本発明は、前記出力制御手段は、前記広告情報出力手段の設置場所情報に応じて、前記広告情報出力手段が出力可能な広告情報を、該広告情報出力手段が羅列させて出力するように、前記広告情報出力手段による広告情報の出力を制御するとともに、前記広告情報出力手段が羅列させて出力した広告情報のいずれかを選択する操作を前記操作受付手段が受け付けた場合に、前記操作受付手段が受け付けた操作に応じて、前記広告情報出力手段による広告情報の出力を制御する請求項３記載の広告システムである。
【００１１】
請求項７に係る本発明は、前記操作受付手段は、該操作受付手段を操作する操作者を認証する操作を受け付け、前記出力制御手段は、前記操作受付手段が操作者を認証する操作を受け付けた時から操作者の認証が解除される時まで、又は操作者の認証が解除された後に所定時間経過するまで、前記広告情報出力手段が所定の広告情報を出力するよう制御する請求項３記載の広告システムである。
【００１２】
請求項８に係る本発明は、前記操作受付手段は、該操作受付手段を操作する操作者による支払いの操作を受け付け、前記出力制御手段は、前記操作受付手段が操作者による支払いの操作を受け付けた時から支払いの操作が終了するまで、又は操作者による支払いの操作が終了した後に所定時間経過するまで、前記広告情報出力手段が所定の広告情報を出力するよう制御する請求項３記載の広告システムである。
【００１３】
請求項９に係る本発明は、記録媒体に画像を形成する画像形成装置をさらに有し、前記広告情報出力手段は、前記画像形成装置に対する操作を受け付ける装置操作受付手段を兼ねる請求項１乃至８いずれか記載の広告システムである。
【００１４】
請求項１０に係る本発明は、操作を受け付けるとともに画像を表示するタッチパネルを具備し、記録媒体に画像を形成する画像形成装置をさらに有し、前記タッチパネルは、所定の操作を受け付けた場合に、広告情報を表示する請求項１乃至８いずれか記載の広告システムである。
【００１５】
請求項１１に係る本発明は、画像を表示する表示部と、この表示部を制御する制御部とを具備し、画像を形成する画像形成装置と、この画像形成装置との間で情報を送受信する情報処理装置とを有し、前記情報処理装置は、前記画像形成装置の設置場所に関する情報を該画像形成装置から受信した場合に、受信した情報に応じて所定の広告情報を前記画像形成装置に対して送信し、前記画像形成装置は、前記情報処理装置が送信した広告情報を、前記制御部の制御に応じて前記表示部に表示する広告システムである。
【発明の効果】
【００１６】
本発明によれば、設置場所に応じて、広告情報を出力することができる。
【発明を実施するための最良の形態】
【００１７】
次に本発明の実施形態を図面に基づいて説明する。
図１において、本発明の実施形態に係る広告システム１の概要が例示されている。広告システム１は、例えば場所Ａ〜Ｃにそれぞれ設置された画像形成装置１０−１〜１０−３と、情報配信サーバ（情報処理装置）５０とを有し、画像形成装置１０−１〜１０−３及び情報配信サーバ５０はネットワーク６０を介して相互に接続されている。
【００１８】
場所Ａ〜Ｃは、例えば所定の業種の従業員のみが出入りする企業ａ、従業員及び一般顧客がともに出入りする旅行代理店ｂ又は市役所ｃなど、若しくは出入者に制限のない公共の場などのいずれの場所であってもよい。
画像形成装置１０−１〜１０−３は、印刷機能、複写機能、ファクシミリ送受信機能及びスキャン機能を有する複合機であり、情報配信サーバ５０から配信される広告情報などを出力する（図２〜４等を用いて詳述）。また、画像形成装置１０−１〜１０−３は、それぞれの配置場所及び所定の設定のみが異なり、実質的に同じ構成部分を有する。
情報配信サーバ５０は、複数の広告情報を記憶し、所定のアクセスに応じて広告情報を配信する。
以下、画像形成装置１０−１〜１０−３など複数ある構成部分のいずれかを特定せずに示す場合には、単に「画像形成装置１０」などと略記することがある。
【００１９】
次に、画像形成装置１０及び情報配信サーバ５０について詳述する。
図２は、画像形成装置１０の外観を示す正面図である。図３は、画像形成装置１０及び情報配信サーバ５０の構成を示すブロック図である。
画像形成装置１０は、例えばタイマ（図示せず）を含むＣＰＵ１１、メモリ１２、ハードディスクドライブ（ＨＤＤ）等の記憶装置１３、電子写真方式の印刷装置１４、スキャナなどの画像読取装置１５、表示部及び入力受付部（ともに図示せず）からなるタッチパネルであるユーザインタフェース（ＵＩ）装置１６、インターネットなどのネットワーク６０を介して情報配信サーバ５０等との間でデータの送受信を行う通信インタフェース（ＩＦ）１７、スピーカ等（図示せず）を含む音声再生装置１８、ユーザ（画像形成装置１０の利用者）に対して課金する課金装置１９、及びユーザを認証する認証装置２０を有する。このように、画像形成装置１０は、コンピュータとしての機能を有し、図示しないＷｅｂブラウザなどによって情報配信サーバ５０が配信する情報を取得することができるようにされている。
【００２０】
情報配信サーバ５０は、例えばＣＰＵ２１、メモリ２２、ハードディスクドライブ（ＨＤＤ）等の記憶装置２３、キーボード等（図示せず）を含むユーザインタフェース（ＵＩ）装置２４、ネットワーク６０を介して画像形成装置１０等との間でデータの送受信を行う通信インタフェース（ＩＦ）２５を有する。このように、情報配信サーバ５０は、コンピュータとしての機能を有する。
【００２１】
図４は、画像形成装置１０及び情報配信サーバ５０の構成要素を示す概念図である。
画像形成装置１０は、設置情報設定手段２６、設置情報通知手段２７、関連機器計測手段２８、関連機器操作手段２９、広告情報取得先設定手段３０、広告表示制御手段３１、広告情報取得手段３２及び広告表示手段３３を有する。
【００２２】
設置情報設定手段２６は、例えば画像形成装置１０を設置する設置者による設定を受付け、設置情報通知手段２７に対して出力する。例えば、画像形成装置１０を設置された企業の業種や社員もしくは一般顧客などの利用者形態情報、及び画像形成装置１０の設置場所情報は、広告情報取得先設定手段３０により設定された取得先に対して、広告表示制御手段３１の指示に基づいて、広告情報取得手段３２を経由して設置情報通知手段２７により情報配信サーバ５０に送信される。
以下、画像形成装置１０の設置場所情報（設置情報）には、画像形成装置１０を設置された企業の業種や社員もしくは一般顧客などの利用者形態情報を含むものとすることがある。
【００２３】
情報配信サーバ５０は、設置情報取得手段３４、広告情報送出手段３５、広告情報選択手段３６及び広告情報保持手段３７を有する。情報配信サーバ５０は、設置情報取得手段３４により画像形成装置１０から取得した利用者形態情報及び設置情報の少なくともいずれかに応じて、広告情報保持手段３７が保持している広告情報の中から、最適な広告情報を広告情報選択手段３６により選択し、選択した広告情報を広告情報送出手段３５により画像形成装置１０に対して送出する。
【００２４】
そして、画像形成装置１０は、情報配信サーバ５０から取得した広告情報を広告表示手段３３により表示する。
なお、画像形成装置１０に課金装置１９及び認証装置２０の少なくともいずれかが接続されている場合には、関連機器操作手段２９が受け付けた操作に基づいて関連機器計測手段２８が計測する例えば時間などの計測状態に応じて、画像形成装置１０は、送信する利用者形態情報及び設置情報を更新する。
【００２５】
図５は、画像形成装置１０のＵＩ装置１６が表示する表示画面例である。広告情報を送出する情報配信サーバ５０は、ネットワーク６０上のサーバとして、例えば「http://www.xxx.co.jp/yyyyy/zzzzzz」などのＵＲＬ（Uniform Resource Locator）形式で登録されている。画像形成装置１０は、ＵＩ装置１６にデフォルトでメニュー画面４０を表示し、ＵＩ装置１６が受け付けた操作に応じて、例えばコピー操作画面４１などに表示画面を遷移させる。
【００２６】
また、画像形成装置１０は、例えばＵＩ装置１６がユーザによる操作を受け付けない時間が所定時間経過した場合、利用者形態情報及び設置情報などに応じて、情報配信サーバ５０にアクセスし、広告ファイル（広告情報）を取得して、取得した広告情報をＵＩ装置１６により表示する。ＵＩ装置１６は、例えば画面全体に１つの広告を表示する広告画面４２、又は複数の広告を羅列させて表示する広告画面４３などを表示する。広告ファイルは、画像形成装置１０がＷｅｂブラウザを有している場合には、ＨＴＭＬ（HyperText Markkup Language）などの一般的なファイルとなり得る。なお、広告情報は、音声再生装置１８により出力されるものであってもよい。
【００２７】
次に、画像形成装置１０と情報配信サーバ５０との間でＨＴＴＰ（HyperText Transfer Protocol）を用いる場合の通信について説明する。画像形成装置１０は、情報配信サーバ５０の記憶装置２３に記憶され、ＵＲＬによりアクセス場所が特定される例えば「http://www.text.co.jp/catalog/jp/file.cgi」に対して文書（広告情報）取得要求を送信する（図６参照）。ここで、画像形成装置１０は、User-Agentヘッダーに例えば業種コードと設置場所コードを付加するようにされている。業種コードは、例えば４桁のＪＩＳ業種コードである。また、設置場所コードは、例えば１桁のコードであり、”０”が社内使用（認証などにより限定されたユーザのみ使用可）、”１”が一般使用（不特定のユーザが使用可）、”２”が混在使用（限定されたユーザのみ使用可の場合と、不特定ユーザが使用可の場合とが混在する）を示すようにされている。
【００２８】
情報配信サーバ５０は、図６に示したＨＴＴＰリクエストを受信すると、図７に例示するように、４桁の業種コードと１桁の設置場所コードとを含んで構成されるファイルの記憶装置２３内の記憶場所を特定し、特定した場所の広告情報を選択した広告情報として画像形成装置１０に対して送信する。
【００２９】
次に、広告システム１の動作の具体例について説明する。
図８は、ＵＩ装置１６によって広告情報を表示するために、画像形成装置１０が行う処理（Ｓ１０）を示すフローチャートである。
図８に示すように、ステップ１００（Ｓ１００）において、ＣＰＵ１１は、広告表示を開始するか否かを判定するためにタイマを起動させる。タイマの値は、固定であってもよいし、変更可能であってもよい。
【００３０】
ステップ１０２（Ｓ１０２）において、ＣＰＵ１１は、Ｓ１００の処理で起動したタイマに応じて、画像形成装置１０が所定時間使用されていないか否かを判定し、所定時間使用されていない場合にはＳ１０４の処理に進み、その他の場合にはＳ１１４の処理に進む。
【００３１】
ステップ１０４（Ｓ１０４）において、ＣＰＵ１１は、画像形成装置１０の設置情報及び広告情報取得先などの、情報配信サーバ５０の記憶装置２３に記憶される所定の広告情報にアクセスするためのアクセス情報を取得する。
【００３２】
ステップ１０６（Ｓ１０６）において、ＣＰＵ１１は、通信Ｉ／Ｆ１７を介して画像形成装置１０の設置場所情報を情報配信サーバ５０に対して送信する。
【００３３】
ステップ１０８（Ｓ１０８）において、ＣＰＵ１１は、アクセス情報に対応する広告情報を取得したか否かを判定し、取得した場合にはＳ１１０の処理に進み、取得していない場合にはＳ１０８の処理を継続する。
【００３４】
ステップ１１０（Ｓ１１０）において、ＣＰＵ１１は、取得した広告情報をＵＩ装置１６を介して表示する。なお、広告情報が音声を含む動画である場合には、ＵＩ装置１６を介して広告情報が再生される。
【００３５】
ステップ１１２（Ｓ１１２）において、ＣＰＵ１１は、ＵＩ装置１６を介して所定の操作入力を受け付けたか否かを判定し、操作入力があった場合にはＳ１１４の処理に進み、その他の場合にはＳ１１０の処理に進む。
【００３６】
ステップ１１４（Ｓ１１４）において、画像形成装置１０は、ＵＩ装置１６などを介して指定された動作を行い、Ｓ１００の処理に進む。
【００３７】
図９は、情報配信サーバ５０が広告情報を送信する場合に行う処理（Ｓ２０）を示すフローチャートである。
図９に示すように、ステップ２００（Ｓ２００）において、ＣＰＵ２１は、通信Ｉ／Ｆ２５を介して設置場所情報を画像形成装置１０から受信したか否かを判定し、受信した場合にはＳ２０２の処理に進み、その他の場合にはＳ２００の処理を継続する。
【００３８】
ステップ２０２（Ｓ２０２）において、ＣＰＵ２１は、記憶装置２３が記憶する複数の広告情報の中から、受信した設置場所情報に対応する（適した）広告情報を検索する。
【００３９】
ステップ２０４（Ｓ２０４）において、ＣＰＵ２１は、検索した広告情報を画像形成装置１０に対して送信する。
【００４０】
図１０は、ＣＰＵ１１が課金装置１９又は認証装置２０の使用の有無を判定した後に行う処理（Ｓ３０）を示すフローチャートである。
図１０に示すように、ステップ３００（Ｓ３００）において、ＣＰＵ１１は、先ず、ユーザによる課金装置１９又は認証装置２０の使用の有無を判定し、認証装置２０の使用が認められる場合にはＳ３０２の処理に進み、課金装置１９の使用が認められる場合にはＳ３１４の処理に進み、課金装置１９及び認証装置２０のいずれも使用が認められない場合には処理を終了する。
【００４１】
ステップ３０２（Ｓ３０２）において、ＣＰＵ１１は、認証装置２０による認証が解除されたか否かを判定いし、解除されている場合にはＳ３０４の処理に進み、その他の場合には処理を終了する。
【００４２】
ステップ３０４（Ｓ３０４）において、ＣＰＵ１１は、広告情報を表示するための設置場所情報を社内使用（設置場所コード：”０”）に設定するための期間を判定するために、タイマを起動する。
【００４３】
ステップ３０６（Ｓ３０６）において、ＣＰＵ１１は、現在設定されている設置場所情報を例えばメモリ１２に退避させる。
【００４４】
ステップ３０８（Ｓ３０８）において、ＣＰＵ１１は、情報配信サーバ５０に対して送信すべき設置場所情報を社内使用に変更する。
【００４５】
ステップ３１０（Ｓ３１０）において、ＣＰＵ１１は、タイマがタイムアウトしたか否かを判定し、タイムアウトした場合にはＳ３１２の処理に進み、その他の場合にはＳ３１０の処理を継続する。
【００４６】
ステップ３１２（Ｓ３１２）において、ＣＰＵ１１は、Ｓ３０６の処理で退避させた設置場所情報を復帰させる。
【００４７】
ステップ３１４（Ｓ３１４）において、課金装置１９による課金動作が終了したか否かを判定し、終了した場合にはＳ３１６の処理に進み、その他の場合には処理を終了する。
【００４８】
ステップ３１６（Ｓ３１６）において、ＣＰＵ１１は、広告情報を表示するための設置場所情報を一般使用（設置場所コード：”１”）に設定するための期間を判定するために、タイマを起動する。
【００４９】
ステップ３１８（Ｓ３１８）において、現在設定されている設置場所情報を例えばメモリ１２に退避させる。
【００５０】
ステップ３２０（Ｓ３２０）において、ＣＰＵ１１は、情報配信サーバ５０に対して送信すべき設置場所情報を一般使用に変更する。
【００５１】
ステップ３２２（Ｓ３２２）において、ＣＰＵ１１は、タイマがタイムアウトしたか否かを判定し、タイムアウトした場合にはＳ３２４の処理に進み、その他の場合にはＳ３２２の処理を継続する。
【００５２】
ステップ３２４（Ｓ３２４）において、ＣＰＵ１１は、Ｓ３１８の処理で退避させた設置場所情報を復帰させる。
【００５３】
図１１は、ＣＰＵ１１が課金装置１９又は認証装置２０の使用の有無を判定した後に行う処理の変形例（Ｓ４０）を示すフローチャートである。
図１１に示すように、ステップ４００（Ｓ４００）において、ＣＰＵ１１は、先ず、ユーザによる課金装置１９又は認証装置２０の使用の有無を判定し、認証装置２０の使用が認められる場合にはＳ４０２の処理に進み、課金装置１９の使用が認められる場合にはＳ４２２の処理に進み、課金装置１９及び認証装置２０のいずれも使用が認められない場合には処理を終了する。
【００５４】
ステップ４０２（Ｓ４０２）において、ＣＰＵ１１は、認証装置２０による認証が開始されたか否かを判定いし、開始されている場合にはＳ４０４の処理に進み、その他の場合には処理を終了する。
【００５５】
ステップ４０４（Ｓ４０４）において、ＣＰＵ１１は、情報配信サーバ５０に対して送信すべき設置場所情報を社内使用に変更する。
【００５６】
ステップ４０６（Ｓ４０６）において、ＣＰＵ１１は、画像形成装置１０の設置情報及び広告情報取得先などの、情報配信サーバ５０の記憶装置２３に記憶される所定の広告情報にアクセスするためのアクセス情報を取得する。
【００５７】
ステップ４０８（Ｓ４０８）において、ＣＰＵ１１は、通信Ｉ／Ｆ１７を介して画像形成装置１０の設置場所情報を情報配信サーバ５０に対して送信する。
【００５８】
ステップ４１０（Ｓ４１０）において、ＣＰＵ１１は、アクセス情報に対応する広告情報を取得したか否かを判定し、取得した場合にはＳ４１２の処理に進み、取得していない場合にはＳ４１０の処理を継続する。
【００５９】
ステップ４１２（Ｓ４１２）において、ＣＰＵ１１は、ＵＩ装置１６を介して、画像形成装置１０に対する操作を受け付ける操作画面４４の一部に広告情報ボタン４５を表示する（図１２（Ａ）参照）。
【００６０】
ステップ４１４（Ｓ４１４）において、ＣＰＵ１１は、ＵＩ装置１６を介してユーザによる広告情報ボタン４５の押下を受け付けたか否かを判定し、広告情報ボタン４５の押下があったと判定した場合にはＳ４１６の処理に進み、その他の場合にはＳ４１４の処理を継続する。
なお、広告情報ボタン４５は、所定の広告情報をＵＩ装置１６が表示するためのユーザによる指示を受け付けるためのソフトボタンである。
【００６１】
ステップ４１６（Ｓ４１６）において、ＣＰＵ１１は、広告情報をＵＩ装置１６の画面に表示する。
【００６２】
ステップ４１８（Ｓ４１８）において、ＣＰＵ１１は、認証装置２０による認証の解除、又は課金装置１９による課金動作の終了のいずれかの有無を判定し、いずれかがなされたと判定した場合にはＳ４２０の処理に進み、その他の場合にはＳ４１８の処理を継続する。
【００６３】
ステップ４２０（Ｓ４２０）において、ＣＰＵ１１は、設置場所情報を課金装置１９又は認証装置２０の使用前に設定されていた状態に復帰させる。
【００６４】
ステップ４２２（Ｓ４２２）において、ＣＰＵ１１は、課金装置１９による課金動作が開始されたか否かを判定いし、開始されている場合にはＳ４２４の処理に進み、その他の場合には処理を終了する。
【００６５】
ステップ４２４（Ｓ４２４）において、ＣＰＵ１１は、情報配信サーバ５０に対して送信すべき設置場所情報を一般使用に変更する。
【００６６】
なお、Ｓ４０の処理において、Ｓ４１２〜Ｓ４１６の処理の代わりに、操作画面４４の一部に広告情報４６を直接表示（図１２（Ｂ）参照）するようにされてもよい。
【図面の簡単な説明】
【００６７】
【図１】本発明の実施形態に係る広告システムの概要を示す構成図である。
【図２】画像形成装置の外観を示す正面図である。
【図３】画像形成装置及び情報配信サーバの構成を示すブロック図である。
【図４】画像形成装置及び情報配信サーバの構成要素を示す概念図である。
【図５】画像形成装置のＵＩ装置が表示する表示画面例である。
【図６】広告システムにおける設置情報通知例である。
【図７】広告システムにおける広告情報の選択例である。
【図８】ＵＩ装置によって広告情報を表示するために、画像形成装置が行う処理（Ｓ１０）を示すフローチャートである。
【図９】情報配信サーバが広告情報を送信する場合に行う処理（Ｓ２０）を示すフローチャートである。
【図１０】ＣＰＵが課金装置又は認証装置の使用の有無を判定した後に行う処理（Ｓ３０）を示すフローチャートである。
【図１１】ＣＰＵが課金装置又は認証装置の使用の有無を判定した後に行う処理の変形例（Ｓ４０）を示すフローチャートである。
【図１２】ＵＩ装置が表示する操作画面例であって、（Ａ）は操作画面中に広告情報ボタンを含む操作画面例であり、（Ｂ）は操作画面中に広告情報を含む操作画面例である。
【符号の説明】
【００６８】
１    広告システム
１０−１〜１０−３    画像形成装置
１１    ＣＰＵ
１２    メモリ
１３    記憶装置
１４    印刷装置
１６    ＵＩ装置
１７    通信Ｉ／Ｆ
１８    音声再生装置
１９    課金装置
２０    認証装置
２１    ＣＰＵ
２２    メモリ
２３    記憶装置
２４    ＵＩ装置
２５    通信Ｉ／Ｆ
４０    メニュー画面
４１    コピー操作画面
４２    広告画面
４３    広告画面（羅列の場合）
４４    操作画面
４５    広告情報ボタン
４６    広告情報
５０    情報配信サーバ
６０    ネットワーク
【図１】
2009020560.tif 000003
【図２】
2009020560.tif 000004
【図３】
2009020560.tif 000005
【図４】
2009020560.tif 000006
【図５】
2009020560.tif 000007
【図６】
2009020560.tif 000008
【図７】
2009020560.tif 000009
【図８】
2009020560.tif 000010
【図９】
2009020560.tif 000011
【図１０】
2009020560.tif 000012
【図１１】
2009020560.tif 000013
【図１２】
2009020560.tif 000014